(57)【要約】【課題】利用者の使い勝手の向上を図る。【解決手段】警備信号錠２Ａが扉Ａに設置され、警備信号錠２Ｂが扉Ｂに設置される。警備信号錠２Ａ，２Ｂは、施錠後に外側から操作することにより警備システムを警備状態にセットするための警備セット信号をＯＮする。状態検知手段３Ａ，３Ｂは、扉Ａ，Ｂの開閉状態及び警備信号錠２の施解錠状態を検知する。警備信号出力アダプタ４は、状態検知手段３Ａ，３Ｂから閉扉・施錠を示す検知信号が入力され、かつ警備信号錠２Ａ又は２Ｂの警備セット信号がＯＮすると、警備信号出力をＯＦＦからＯＮに切り替え、警備システムの警備状態をセットする。【選択図】図１
2015014128.tif 000002
【特許請求の範囲】
【請求項１】
施錠後に警備システムを警備状態にセットするための警備セット信号をＯＮする警備信号錠が１つの物件において外との間で出入りが可能な複数の扉に設置され、前記警備セット信号のＯＮにより前記警備システムを警備状態にセットする警備信号出力装置であって、
外との間で出入りが可能な全ての扉の開閉状態及び外との間で出入りが可能な前記警備信号錠を含む全ての錠前の施解錠状態を検知する状態検知手段と、
外との間で出入りが可能な全ての扉が閉扉で外との間で出入りが可能な前記警備信号錠を含む全ての錠前が施錠を示す検知信号が前記状態検知手段から入力され、かつ少なくとも１つの警備信号錠の警備セット信号がＯＮしたときに、警備信号出力をＯＮする警備信号出力アダプタとを備えたことを特徴とする警備信号出力装置。
【請求項２】
前記警備信号出力アダプタは、前記警備信号出力のＯＮにより前記警備システムが警備状態にセットされた状態から複数の警備信号錠の何れかが解錠されて前記状態検知手段から解錠を示す検知信号が入力したときに、前記警備信号出力をＯＦＦに切り替えることを特徴とする請求項１記載の警備信号出力装置。
【請求項３】
前記警備信号錠は、錠前が電気錠で構成されており、
さらに、前記電気錠の施錠操作又は解錠操作時に利用者が所持するＩＤキーの識別情報を取得して正当性を判別し、前記識別情報を正常認証したときに前記電気錠を施錠又は解錠する操作表示器を備えたことを特徴とする請求項１又は２記載の警備信号出力装置。
【発明の詳細な説明】
【技術分野】
【０００１】
本発明は、例えば個人住宅、集合住宅、小売店舗、商業施設などの物件において、警備会社が運営する警備システムのＯＮ／ＯＦＦを行うためのスイッチを内蔵した警備信号錠が１つの物件において外との間で出入りされる複数の扉に設置された警備信号出力装置に関するものである。
【背景技術】
【０００２】
近年、空き巣などの犯罪の増加に伴い、小売店舗や商業施設だけに留まらず、個人住宅や集合住宅などの物件においても警備会社が運営する警備システムを導入するケースが多くなってきている。この種の警備システムでは、警備状態にセットされると、物件の警備領域内の様子や扉、窓の状態（開閉状態、破壊の有無状態）を監視カメラや各種センサにより検知し、これら撮像画像や検知信号を集中監視センターでモニタし、警備領域内の異常発生の有無（例えば、不審者の侵入、火災など）を監視している。
【０００３】
ところで、この種の警備システムに連動する錠前として、下記特許文献１に開示されるような錠前の信号取出し機構を採用した警備信号錠が知られている。警備信号錠は、扉の外側からシリンダ錠の鍵穴にキーを挿入して所定角度（例えば反時計回りに９０°）回転させると施錠し、キーをさらに所定角度（反時計回りに＋４０°）回転させると、警備システムを警備状態にセットするための警備セット信号がＯＮするようになっている。また、警備信号錠は、警備セット信号がＯＮにより警備システムが警備状態にセットされた状態で、扉の外側からシリンダ錠の鍵穴にキーを挿入して所定角度（施錠と逆方向の時計回りに９０°）回転させると解錠し、警備セット信号がＯＮからＯＦＦに切り替わるようになっている。
【先行技術文献】
【特許文献】
【０００４】
【特許文献１】特開２００１−２２７２１５号公報
【発明の概要】
【発明が解決しようとする課題】
【０００５】
ところで、上述した警備信号錠は、通常、１つの物件において外との間で最終的に出入りされる正面玄関扉のみに設置するのが一般的であった。しかし、外との間で出入りが可能な扉を備えた物件としては、正面玄関扉以外に勝手口を備えたものや正面玄関扉を含む複数の玄関扉を備えたものがある。この場合、１箇所の正面玄関扉のみに警備信号錠を設置した構成では、警備システムを警備状態にセットするにあたって、警備信号錠が設置された正面玄関扉以外の扉の錠前を全て施錠した後、最後に正面玄関扉に設置された警備信号錠を施錠して警備セット信号をＯＮする操作を行う必要があった。このため、警備信号錠が設置された正面玄関扉以外の扉の錠前を全て施錠した後でなければ、警備信号錠を施錠して警備セット信号をＯＮする操作を行っても警備システムを警備状態にセットすることができなかった。しかも、外との間で出入りが可能な複数の扉を備えた物件では、警備信号錠が設置された正面玄関扉以外の扉から出入りが行われることがあるため、警備信号錠が設置された正面玄関扉以外の扉から最終的に出入りが行われた場合には、警備システムを警備状態にセットすることができず、利用者にとって不便であり、使い勝手が悪かった。
【０００６】
そこで、本発明は上記問題点に鑑みてなされたものであり、利用者にとって使い勝手の良い警備信号出力装置を提供することを目的とするものである。
【課題を解決するための手段】
【０００７】
上記した目的を達成するために、請求項１に記載された警備信号出力装置は、施錠後に警備システムを警備状態にセットするための警備セット信号をＯＮする警備信号錠が１つの物件において外との間で出入りが可能な複数の扉に設置され、前記警備セット信号のＯＮにより前記警備システムを警備状態にセットする警備信号出力装置であって、
外との間で出入りが可能な全ての扉の開閉状態及び外との間で出入りが可能な前記警備信号錠を含む全ての錠前の施解錠状態を検知する状態検知手段と、
外との間で出入りが可能な全ての扉が閉扉で外との間で出入りが可能な前記警備信号錠を含む全ての錠前が施錠を示す検知信号が前記状態検知手段から入力され、かつ少なくとも１つの警備信号錠の警備セット信号がＯＮしたときに、警備信号出力をＯＮする警備信号出力アダプタとを備えたことを特徴とする。
【０００８】
請求項２に記載された警備信号出力装置は、請求項１の警備信号出力装置において、
前記警備信号出力アダプタは、前記警備信号出力のＯＮにより前記警備システムが警備状態にセットされた状態から複数の警備信号錠の何れかが解錠されて前記状態検知手段から解錠を示す検知信号が入力したときに、前記警備信号出力をＯＦＦに切り替えることを特徴とする。
【０００９】
請求項３に記載された警備信号出力装置は、請求項１又は２の警備信号出力装置において、
前記警備信号錠は、錠前が電気錠で構成されており、
さらに、前記電気錠の施錠操作又は解錠操作時に利用者が所持するＩＤキーの識別情報を取得して正当性を判別し、前記識別情報を正常認証したときに前記電気錠を施錠又は解錠する操作表示器を備えたことを特徴とする。
【発明の効果】
【００１０】
本発明によれば、１つの物件において外との間で出入りが可能な複数の扉に設置された全ての錠前が施錠状態であれば、どの警備信号錠からでも警備セット信号をＯＮして警備システムを警備状態にセットすることができる。
【００１１】
また、警備システムが警備状態にセットされているときには、何れかの警備信号錠を外側から鍵を用いて解錠操作すれば、警備信号出力を「ＯＮ」から「ＯＦＦ」に切り替えて警備システムの警備状態のセットを解除することができる。
【図面の簡単な説明】
【００１２】
【図１】本発明に係る警備信号出力装置の第１実施の形態の概略構成を示すブロック図である。
【図２】図１の警備信号出力装置の動作フローチャートである。
【図３】本発明に係る警備信号出力装置の第２実施の形態の概略構成を示すブロック図である。
【図４】図３の警備信号出力装置の動作フローチャートである。
【発明を実施するための形態】
【００１３】
以下、本発明を実施するための形態について、添付した図面を参照しながら詳細に説明する。
【００１４】
本発明に係る警備信号出力装置１は、例えば個人住宅、集合住宅、小売店舗、商業施設などの物件において、警備会社が運営する警備システムに連動する装置である。
【００１５】
第１実施の形態による警備信号出力装置１（１Ａ）は、図１に示すように、警備信号錠２、状態検知手段３、警備信号出力アダプタ４を備えて概略構成される。
【００１６】
警備信号錠２（２Ａ，２Ｂ）は、例えば個人住宅、集合住宅、小売店舗、商業施設などの１つの物件において、外との間で出入りが可能な複数の扉（例えば玄関扉、勝手口など）に設置され、警備会社が運営する警備システムを警備状態にＯＮ／ＯＦＦ切替するスイッチを錠ケースに内蔵している。
【００１７】
警備信号錠２（２Ａ，２Ｂ）は、扉Ａ，Ｂの外から所定操作によって施錠後に警備システムを警備状態にセットするための警備セット信号をＯＮしている。具体的には、従来の技術でも説明したように、扉Ａ，Ｂの外側からシリンダ錠の鍵穴にキーを挿入して所定角度（例えば反時計回りに９０°）回転させることにより施錠し、キーをさらに所定角度（反時計回りに＋４０°）回転させる２段階の回転操作により警備システムを警備状態にセットするための警備セット信号がＯＮするようになっている。また、警備信号錠２（２Ａ，２Ｂ）は、警備システムが警備状態にセットされ、すなわち警備セット信号がＯＮの状態において、扉Ａ，Ｂの外側からシリンダ錠の鍵穴にキーを挿入して所定角度（施錠と逆方向の時計回りに９０°）回転させることにより解錠し、警備セット信号がＯＮからＯＦＦに切り替わるようになっている。すなわち、警備セット信号は、１度ＯＮにすると、その後、警備信号錠２の扉Ａ，Ｂの外側からキーによる解錠操作を行うまではＯＮ状態を保持する。
【００１８】
その際、警備信号錠２（２Ａ，２Ｂ）は、例えば特許文献１に開示される錠前の信号取出し機構の構成を採用することができるが、扉Ａ，Ｂの外側からキーを用いた施錠操作又は解錠操作により警備セット信号のＯＮ／ＯＦＦ切替が行える構成であれば良い。
【００１９】
状態検知手段３（３Ａ，３Ｂ）は、警備信号錠２（２Ａ，２Ｂ）が設置される各扉Ａ，Ｂに設けられ、扉開閉検知手段３ａと施解錠検知手段３ｂを備えている。
【００２０】
扉開閉検知手段３ａは、扉Ａ（又は扉Ｂ）の開閉を検知するマイクロスイッチなどで構成され、扉Ａ（又は扉Ｂ）が開いているときに、開扉状態を示す開モニタ信号を検知信号として警備信号出力アダプタ４に出力している。これに対し、扉Ａ（又は扉Ｂ）が閉じているときには、閉扉状態を示す閉モニタ信号を検知信号として警備信号出力アダプタ４に出力している。
【００２１】
施解錠検知手段３ｂは、警備信号錠２のデッドボルトの動きを検知するマイクロスイッチなどで構成され、警備信号錠２が施錠しているときに、施錠状態を示す施錠モニタ信号を検知信号として警備信号出力アダプタ４に出力している。これに対し、警備信号錠２が解錠しているときには、解錠状態を示す解錠モニタ信号を検知信号として警備信号出力アダプタ４に出力している。
【００２２】
警備信号出力アダプタ４は、各扉Ａ，Ｂ毎に設置される警備信号錠２Ａ，２Ｂ及び状態検知手段３Ａ，３Ｂとの間が有線又は無線により接続されるとともに、不図示の警備システムの操作パネルとして屋内に設置されるインターホン親機との間が有線又は無線により接続されている。
【００２３】
警備信号出力アダプタ４は、各扉Ａ，Ｂ毎に設置される警備信号錠２Ａ，２Ｂ及び状態検知手段３Ａ，３Ｂからの信号に基づいて警備システムを警備状態にセットするための警備信号を出力するもので、判別手段４ａ、出力制御手段４ｂ、記憶手段４ｃを備えている。
【００２４】
判別手段４ａは、最新の警備信号出力が「ＯＮ」か否かの判別、最新の警備信号出力が「ＯＮ」のときに状態検知手段３からの検知信号により全ての警備信号錠２Ａ，２Ｂが「閉扉・施錠」か否かの判別、全ての警備信号錠２Ａ，２Ｂが「閉扉・施錠」のときに警備信号錠２Ａ，２Ｂの何れかの警備セット信号が「ＯＮ」に変化しているか否かの判別、最新の警備信号出力が「ＯＮ」のときに警備信号錠２Ａ，２Ｂの何れかが「解錠」か否かの判別を行っている。
【００２５】
出力制御手段４ｂは、判別手段４ａの判別結果により、警備信号出力の「ＯＮ／ＯＦＦ」を切替制御している。すなわち、出力制御手段４ｂは、最新の警備信号出力が「ＯＦＦ」の状態で全ての警備信号錠２Ａ，２Ｂが「閉扉・施錠」であって、かつ警備信号錠２Ａ，２Ｂの何れかの警備セット信号が「ＯＮ」に変化したと判別手段４ａが判断したときに警備信号出力を「ＯＮ」に制御している。また、出力制御手段４ｂは、警備システムが警備状態にセットされているときに、警備信号錠２Ａ，２Ｂの何れかが「解錠」であると判別手段４ａが判断したときに警備信号出力を「ＯＦＦ」に制御している。
【００２６】
記憶手段４ｃは、状態検知手段３から常時入力される検知信号により、扉Ａ，Ｂ及び警備信号錠２Ａ，２Ｂの最新の開閉状態及び施解錠状態を記憶保持している。また、記憶手段４ｃは、出力制御手段４ｂが出力している最新の警備信号出力のＯＮ／ＯＦＦ状態を記憶保持している。尚、記憶手段４ｃは、停電時において、停電直前の扉Ａ，Ｂの開閉状態、警備信号錠２Ａ，２Ｂの施解錠状態、警備信号出力のＯＮ／ＯＦＦ状態を記憶保持している。
【００２７】
ところで、本例において、１つの物件とは、個人住宅、集合住宅、小売店舗、商業施設などの建物全体、又は建物の各戸を意味している。
【００２８】
また、本例では、図１に示すように、１つの物件において外との間で出入りが可能な扉を扉Ａと扉Ｂの２つとし、それぞれの扉Ａ，Ｂに警備信号錠２（２Ａ，２Ｂ）を設置した場合を例にとって説明するが、１つの物件において外との間で出入りが可能な扉が２つ以上あって、そのうちの少なくとも２つの扉に警備信号錠２が設置された構成であればよい。
【００２９】
さらに、１つの物件において外との間で複数の扉のどこから出入りしても警備システムを警備状態にセットするには、外との間で出入りが可能な全ての扉に警備信号錠２を設置するのが好ましい。但し、コストを抑えるため、１つの物件において外との間で出入りが可能な複数の扉のうち、出入りの頻度が多い扉を優先して少なくとも２つの扉に警備信号錠２を設置し、その他の扉には一般的な錠前を設置する構成としても良い。この場合、一般的な錠前にも錠前検知手段３を設置することにより、扉の開閉状態及び錠前の施解錠状態が検知され、その際の検知信号が警備信号出力アダプタ４に入力される。
【００３０】
次に、上述した第１実施の形態による警備信号出力装置１Ａにおいて、警備システムを警備状態にセットする場合と警備システムの警備状態のセットを解除する場合のそれぞれにおける警備信号出力アダプタ４の動作について図２のフローチャートを参照しながら説明する。ここでは、１つの物件において、外との間で出入りが可能な扉が扉Ａと扉Ｂの２つであって、扉Ａに警備信号錠２Ａを設置し、扉Ｂに警備信号錠２Ｂを設置した場合を例にとって説明する。
【００３１】
・警備システムを警備状態にセットする場合の動作
警備信号出力アダプタ４は、記憶手段４ｃに記憶された最新の警備信号出力のＯＮ／ＯＦＦ状態を示す情報から警備信号出力が「ＯＮ」か否かを判別する（ＳＴ１）。警備信号出力アダプタ４は、警備信号出力が「ＯＮ」ではないと判断すると（ＳＴ１−Ｎｏ）、状態検知手段３からの検知信号により全ての警備信号錠２Ａ，２Ｂが「閉扉・施錠」か否かを判別する（ＳＴ２）。警備信号出力アダプタ４は、全ての警備信号錠２Ａ，２Ｂが「閉扉・施錠」であると判断すると（ＳＴ２−Ｙｅｓ）、全ての警備信号錠２Ａ，２Ｂのうち何れかの警備信号錠２Ａ又は２Ｂの警備セット信号が「ＯＮ」に変化したか否かを判別する（ＳＴ３）。警備信号出力アダプタ４は、何れかの警備信号錠２Ａ又は２Ｂの警備セット信号が「ＯＮ」に変化したと判断すると（ＳＴ３−Ｙｅｓ）、警備信号出力を「ＯＦＦ」から「ＯＮ」に切り替えて出力する（ＳＴ４）。これにより、警備システムのインターホン親機は、警備信号出力アダプタ４からの警備信号出力が「ＯＦＦ」から「ＯＮ」に切り替わるタイミングにより、警備システムを警備状態にセットする。尚、警備信号出力アダプタ４は、全ての警備信号錠２Ａ，２Ｂが「閉扉・施錠」ではないと判断したとき（ＳＴ２−Ｎｏ）、全ての警備信号錠２Ａ，２Ｂの警備セット信号が「ＯＦＦ」のまま変化していないと判断したとき（ＳＴ３−Ｎｏ）にはＳＴ１の処理に戻る。
【００３２】
・警備システムの警備状態のセットを解除する場合の動作
警備信号出力アダプタ４は、記憶手段４ｃに記憶された最新の警備信号出力のＯＮ／ＯＦＦ状態を示す情報から警備信号出力が「ＯＮ」か否かを判別する（ＳＴ１）。警備信号出力アダプタ４は、警備信号出力が「ＯＮ」であると判断すると（ＳＴ１−Ｙｅｓ）、状態検知手段３からの検知信号により警備信号錠２Ａ又は２Ｂの何れかが「解錠」か否かを判別する（ＳＴ５）。警備信号出力アダプタ４は、警備信号錠２Ａ又は２Ｂの何れかが「解錠」であると判断すると（ＳＴ５−Ｙｅｓ）、警備信号出力を「ＯＮ」から「ＯＦＦ」に切り替えて出力する（ＳＴ６）。これにより、警備システムのインターホン親機は、警備信号出力アダプタ４からの警備信号出力が「ＯＮ」から「ＯＦＦ」に切り替わるタイミングにより、警備システムの警備状態のセットを解除する。その後、ＳＴ１の処理に戻る。
【００３３】
次に、第２実施の形態による警備信号出力装置１Ｂの構成について図３を参照しながら説明する。尚、第１実施の形態による警備信号出力装置１Ａと同一の構成要素には同一番号を付し、その説明を省略している。
【００３４】
第２実施の形態による警備信号出力装置１Ｂは、図３に示すように、ＩＤキー５を用い、警備信号錠２、状態検知手段３、警備信号出力アダプタ４に加え、警備セット信号をＯＮ／ＯＦＦするための構成として警備信号錠２が操作表示器６を備えている。
【００３５】
ＩＤキー５は、警備信号錠２の施錠／解錠が許可された利用者が所持するもので、例えばＩＣキー、ＩＣタグ、非接触型ＩＣカード（ＦｅｌｉＣａ（登録商標））などの携帯媒体で構成され、警備信号錠２の施錠／解錠に必要不可欠な識別情報（例えば暗証番号、警備信号錠２を特定する製造番号などの情報）が予め記憶されている。
【００３６】
また、第２実施の形態における警備信号錠２は、錠前が電気錠で構成されており、例えば個人住宅、集合住宅、小売店舗、商業施設などの１つの物件において、外との間で出入りが可能な複数の扉（例えば玄関扉、勝手口など）に設置される。図３の例では、第１実施の形態と同様に、１つの物件において外との間で出入りが可能な扉を扉Ａと扉Ｂの２つとし、それぞれの扉Ａ，Ｂに警備信号錠２（２Ａ，２Ｂ）を設置している。
【００３７】
操作表示器６（６Ａ，６Ｂ）は、施錠／解錠を指示する上下操作ボタンからなる操作手段と、施錠／解錠の誘導表示や状態表示を行う表示手段と、利用者が所持するＩＤキー５の識別情報を非接触無線通信により取得するリーダからなる受信手段と、受信手段が取得したＩＤキー５の識別情報の正当性を判別して電気錠を施錠／解錠制御する制御手段とを備えている。具体的には、例えば特開２００８−０１４０８２号公報に開示される受信器によって構成することができる。
【００３８】
操作表示器６（６Ａ，６Ｂ）は、上下操作ボタンの一方の操作ボタンの押下により、施錠が指示されたときに、利用者が所持するＩＤキー５の識別情報を受信手段が非接触無線通信により取得し、取得した識別情報の正当性を制御手段が判別して正常認証したときに電気錠を施錠制御している。これに対し、操作表示器６（６Ａ，６Ｂ）は、電気錠が施錠状態において、利用者が所持するＩＤキー５が翳されたとき、又は利用者がＩＤキー５を携帯して上下操作ボタンの一方の操作ボタンを押して解錠が指示されたときに、ＩＤキー５の識別情報を受信手段が非接触無線通信により取得し、取得した識別情報の正当性を制御手段が判別して正常認証したときに電気錠を解錠制御している。
【００３９】
操作表示器６（６Ａ，６Ｂ）は、上下操作ボタンの所定操作により、施錠後に警備システムを警備状態にセットするための警備セット信号をＯＮしている。具体的に警備セット信号をＯＮする方法としては、上下操作ボタンの一方の操作ボタンを押し続けて施錠を指示し、一方の操作ボタンを押したまま利用者がＩＤキー５をかざす方法、利用者がＩＤキー５を携帯して上下操作ボタンの一方の操作ボタンを押し続けて施錠を指示する方法とがある。
【００４０】
警備信号出力アダプタ４は、警備システムの警備状態がセットされていない状態（警備信号出力「ＯＦＦ」の状態）で、何れかの警備信号錠２Ａ又は２Ｂが「閉扉・施錠」で警備セット信号が「ＯＮ」であると判断し、残りの警備信号錠が「閉扉・施錠」ではないと判別手段４ａが判断すると、その残りの警備信号錠が「閉扉・解錠」であれば出力制御手段４ｃにより自動的に施錠制御している。また、警備信号出力アダプタ４は、警備システムの警備状態がセットされている状態（警備信号出力「ＯＮ」の状態）で、何れかの警備信号錠２Ａ又は２ＢがＩＤキー５を使用して解錠操作されると、警備システムの警備状態のセットを解除している。
【００４１】
尚、警備信号錠２は、上述した第１実施の形態と同様に、１つの物件において外との間で出入りが可能な扉が２つ以上あって、そのうちの少なくとも２つの扉に警備信号錠２が設置された構成であればよい。また、図３の例では、警備信号錠２（２Ａ，２Ｂ）が操作表示器６（６Ａ，６Ｂ）を含む構成としているが、それぞれを１対１に別体に構成しても良い。
【００４２】
次に、上述した第２実施の形態による警備信号出力装置１Ｂにおいて、警備システムを警備状態にセットする場合と警備システムの警備状態のセットを解除する場合のそれぞれにおける警備信号出力アダプタ４の動作について図４のフローチャートを参照しながら説明する。
【００４３】
・警備システムを警備状態にセットする場合の動作
警備信号出力アダプタ４は、記憶手段４ｃに記憶された最新の警備信号出力のＯＮ／ＯＦＦ状態を示す情報から警備信号出力が「ＯＮ」か否かを判別する（ＳＴ１１）。警備信号出力アダプタ４は、警備信号出力が「ＯＮ」ではないと判断すると（ＳＴ１１−Ｎｏ）、状態検知手段３からの検知信号により何れかの警備信号錠２Ａ又は２Ｂが「閉扉・施錠」で警備セット信号が「ＯＮ」に変化したか否かを判別する（ＳＴ１２）。警備信号出力アダプタ４は、何れかの警備信号錠２Ａ又は２Ｂが「閉扉・施錠」で警備セット信号が「ＯＮ」に変化したと判断すると（ＳＴ１２−Ｙｅｓ）、残りの警備信号錠が「閉扉・施錠」か否かを判別する（ＳＴ１３）。警備信号出力アダプタ４は、残りの警備信号錠が「閉扉・施錠」ではないと判断すると（ＳＴ１３−Ｎｏ）、その警備信号錠が「閉扉・解錠」であれば、自動的に施錠制御し（ＳＴ１４）、ＳＴ１１の処理に戻る。これに対し、警備信号出力アダプタ４は、残りの警備信号錠、すなわち全ての警備信号錠２Ａ，２Ｂが「閉扉・施錠」であると判断すると（ＳＴ１３−Ｙｅｓ）、警備信号出力を「ＯＦＦ」から「ＯＮ」に切り替えて出力する（ＳＴ１５）。これにより、警備システムのインターホン親機は、警備信号出力アダプタ４からの警備信号出力が「ＯＦＦ」から「ＯＮ」に切り替わるタイミングにより、警備システムを警備状態にセットする。尚、警備信号出力アダプタ４は、何れかの警備信号錠２Ａ又は２Ｂが「閉扉・施錠」で警備セット信号が「ＯＮ」のまま変化していないと判断したとき（ＳＴ１２−Ｎｏ）にはＳＴ１１の処理に戻る。
【００４４】
・警備システムの警備状態のセットを解除する場合の動作
警備信号出力アダプタ４は、記憶手段４ｃに記憶された最新の警備信号出力のＯＮ／ＯＦＦ状態を示す情報から警備信号出力が「ＯＮ」か否かを判別する（ＳＴ１１）。警備信号出力アダプタ４は、警備信号出力が「ＯＮ」であると判断すると（ＳＴ１１−Ｙｅｓ）、状態検知手段３からの検知信号により警備信号錠２Ａ又は２Ｂの何れかが「解錠」か否かを判別する（ＳＴ１６）。警備信号出力アダプタ４は、警備信号錠２Ａ又は２Ｂの何れかが「解錠」であると判断すると（ＳＴ１６−Ｙｅｓ）、警備信号出力を「ＯＮ」から「ＯＦＦ」に切り替えて出力する（ＳＴ１７）。これにより、警備システムのインターホン親機は、警備信号出力アダプタ４からの警備信号出力が「ＯＮ」から「ＯＦＦ」に切り替わるタイミングにより、警備システムの警備状態のセットを解除する。その後、ＳＴ１１の処理に戻る。
【００４５】
このように、本例の警備信号出力装置１は、１つの物件において外との間で出入りが可能な複数の扉に設置された全ての錠前が施錠状態であれば、扉に設置されたどの警備信号錠２からでも警備セット信号をＯＮして警備システムを警備状態にセットすることができる。
【００４６】
また、警備システムが警備状態にセットされているときには、何れかの警備信号錠２を扉Ａ，Ｂの外側から解錠操作すれば、警備信号出力を「ＯＮ」から「ＯＦＦ」に切り替えて警備システムの警備状態のセットを解除することができる。これにより、利用者にとって使い勝手の良い警備信号出力装置１を提供することができる。
【００４７】
ところで、上述した実施の形態では、１つの扉Ａ（又は扉Ｂ）に１つの警備信号錠２が設置されたものとして説明したが、これに限定されるものではない。例えば１つの扉に主錠と副錠の２つの錠が設置された、所謂１ドア２ロックシステムにも本発明に係る警備信号出力装置１を適用することができる。その際、主錠を警備信号錠２、副錠を一般的な錠前で構成したり、主錠と副錠の両方を警備信号錠２で構成することができる。この場合においても、扉Ａ，Ｂの外側からの施錠操作により全ての錠前が施錠状態となり、かつ何れかの警備信号錠２の警備セット信号が「ＯＮ」しているときに警備信号出力アダプタ４の警備信号出力が「ＯＮ」し、警備システムが警備状態にセットされる。また、警備システムが警備状態にセットされているときに、扉Ａ，Ｂの外側からの解錠操作により何れかの警備信号錠２が解錠状態になると、警備信号出力アダプタ４の警備信号出力が「ＯＮ」から「ＯＦＦ」に切り替わり、警備システムの警備状態のセットが解除される。
【００４８】
以上、本発明に係る警備信号出力装置１の最良の形態について説明したが、この形態による記述及び図面により本発明が限定されることはない。すなわち、この形態に基づいて当業者等によりなされる他の形態、実施例及び運用技術などはすべて本発明の範疇に含まれることは勿論である。
【符号の説明】
【００４９】
１（１Ａ，１Ｂ）  警備信号出力装置
２（２Ａ，２Ｂ）  警備信号錠
３（３Ａ，３Ｂ）  状態検知手段
３ａ  扉開閉状態検知手段
３ｂ  施解錠状態検知手段
４  警備信号出力アダプタ
４ａ  判別手段
４ｂ  出力制御手段
４ｃ  記憶手段
５  ＩＤキー
６（６Ａ，６Ｂ）  操作表示器
【図１】
2015014128.tif 000003
【図２】
2015014128.tif 000004
【図３】
2015014128.tif 000005
【図４】
2015014128.tif 000006